(57)【要約】【課題】低消費電力モードでの表示を可能としたカラー表示装置、およびそれを備えた電子機器を提供すること。【解決手段】電気光学装置１では、待機時には、第１ないし第３のデータ線駆動回路５２Ｒ、５２Ｇ、５２Ｂのうち、第２のデータ線駆動回路５２Ｇのみを動作させる一方、第１および第３のデータ線駆動回路５２Ｒ、５２Ｂについては動作を停止させて、画素５を構成する単位画素５Ｒ、５Ｇ、５Ｂのうち、単位画素５Ｇのみを選択的に駆動する。このため、待機時に駆動回路で使用される電力を略１／３のレベルにまで低減できる。【選択図】　　　図５
2004117575.tif 000002
【特許請求の範囲】
【請求項１】
１画素当たり、複数色の単位画素を備えた表示体と、該表示体での表示動作を制御する制御手段とを有する表示装置において、
前記制御手段は、前記画素に含まれる複数の前記単位画素の各々を駆動してフルカラー表示を行う第１の表示モード、および前記画素に含まれる複数の前記単位画素のうち、所定の単位画素のみを選択的に駆動して簡易表示を行う第２の表示モードのいずれを行うかを切り換えるように構成されていることを特徴とする表示装置。
【請求項２】
請求項１において、前記制御手段は、表示装置が搭載された電子機器で待機画面を表示するときには前記第２の表示モードとし、当該電子機器で稼動時の通常画面を表示するときには前記第１の表示モードとすることを特徴とする表示装置。
【請求項３】
請求項１において、前記制御手段は、外部から信号入力があったときに前記第２の表示モードから前記第１の表示モードへの切り換えを自動的に行うことを特徴とする表示装置。
【請求項４】
請求項１において、前記制御手段は、外部操作に基づいて前記第１の表示モードと前記第２の表示モードの切り換えを行うことを特徴とする表示装置。
【請求項５】
請求項１ないし４のいずれかにおいて、前記制御手段は、前記第２の表示モードにおいて複数の前記単位画素のうちのいずれの単位画素を選択的に用いるかを外部操作により設定可能に構成されていることを特徴とする表示装置。
【請求項６】
請求項１ないし５のいずれかにおいて、前記表示体は、前記第１の表示モードにおいて当該表示体の背面側に配置されたバックライト装置から入射して表面側から出射する光による透過モードでの表示、および前記第２の表示モードにおいて前記表示体の表面側から入射した光を再び表面側に反射して反射モードでの表示を行う半透過反射型の電気光学装置であることを特徴とする表示装置。
【請求項７】
請求項６において、前記表示体は、表示光が出射される側に配置された第１の基板と、該第１の基板に対向して前記バックライト装置に対向する第２の基板、前記第１の基板と前記第２の基板との間に保持された電気光学物質とを有し、
前記単位画素の各々は、前記第１の基板の側に透明な第１の電極、および出射光に所定の着色を行うカラーフィルタを備えている一方、前記第２の基板の側に前記第１の電極と対向する半透過反射性の第２の電極を備えていることを特徴とする表示装置。
【請求項８】
請求項１ないし７のいずれかに規定する電気光学装置を有することを特徴とする電子機器。
【発明の詳細な説明】
【０００１】
【発明の属する技術分野】
本発明は、表示装置、およびそれを用いた電子機器に関するものである。さらに詳しくは、当該表示装置における低消費電力化技術に関するものである。
【０００２】
【従来の技術】
各種の電気光学装置のうち、例えば、液晶装置では、石英基板やガラス基板などからなる一対の透明基板の間に電気光学物質としての液晶が保持されており、一対の透明基板のいずれにも、電気光学物質を画素毎に駆動するための駆動電極が形成されている。また、カラー表示用の液晶装置では、各画素毎に赤（Ｒ）、緑（Ｇ）、青（Ｂ）に対応する単位画素を備えており、例えば、マトリクス状に並ぶ多数の単位画素のうち、縦方向に並ぶ単位画素には同一の画像信号が供給されるようになっている。
【０００３】
このような液晶装置は、携帯電話機などといった小型の電子機器に搭載された場合、バッテリー駆動方式となる。このため、液晶装置では低消費電力化を目的に半透過反射型として構成されることが多い。
【０００４】
この半透過反射型の液晶装置は、一対の透明基板のうち、表面側に配置される第１の透明基板には透明な第１の電極、および出射光に所定の着色を行うカラーフィルタを形成する一方、第２の透明基板には第１の電極と対向する第２の電極を形成し、かつ、第２の電極については薄い金属膜、あるいは透光窓を備えた金属膜で形成することにより、第２の電極に対して透過性と反射性を付与している。
【０００５】
従って、携帯電話機において稼動時の通常画面をカラー表示するときには、バックライト装置から出射された光で透過モードで表示を行うが、待機時には、バックライト装置を消灯状態にしても、表面側から入射した外光を第２の電極によって再び表面側に反射して反射モードでカラー画像を表示することができるので待機時における消費電力を削減できる（例えば、特許文献１参照）。
【０００６】
【特許文献１】
特開２００２−１４３３４号公報（第１３頁−第１４頁、図１３）
【０００７】
【発明が解決しようとする課題】
しかしながら、携帯電話機などに搭載される液晶装置には、さらなる低消費電力化が強く望まれており、それに対応するには、従来のように、待機時にバックライト装置を消灯状態とするだけでは不十分である。
【０００８】
そこで、本発明の課題は、低消費電力モードでの表示を可能としたカラー表示装置、およびそれを備えた電子機器を提供することにある。
【０００９】
【課題を解決するための手段】
上記課題を解決するために、本発明では、１画素当たり、少なくとも複数色の単位画素を備えた表示体と、該表示体での表示動作を制御する制御手段とを有するカラー表示装置において、前記制御手段は、前記画素に含まれる複数の前記単位画素の各々を駆動してフルカラー表示を行う第１の表示モード、および前記画素に含まれる複数の前記単位画素のうち、所定の単位画素のみを選択的に駆動して簡易表示を行う第２の表示モードのいずれを行うかを切り換えるように構成されていることを特徴とする。
【００１０】
本発明では、携帯電話機などの電子機器において、例えば、通話時などといった稼動時の通常画面をフルカラー表示するときには、画素に含まれる複数色の単位画素の各々を駆動して第１の表示モードでの表示を行うが、待機時には、所定の単位画素のみを選択的に駆動して待機画面を第２の表示モードで簡易表示を行う。従って、待機時に駆動回路の負荷が軽減するので、低消費電力化を図ることができる。
【００１１】
本発明において、前記制御手段は、例えば、外部から信号入力があったときに前記第２の表示モードから前記第１の表示モードへの切り換えを自動的に行うことが好ましい。すなわち、携帯電話機などで受信した際、待機時の第２の表示モードから稼動時の第１の表示モードへの自動的に切り換わることが好ましい。
【００１２】
本発明において、前記制御手段は、外部操作に基づいて前記第１の表示モードと前記第２の表示モードの切り換えを行う構成であってもよい。
【００１３】
本発明において、前記制御手段は、前記第２の表示モードにおいて複数の前記単位画素のうちのいずれの単位画素を用いるかを外部操作により設定可能に構成されていることが好ましい。このように構成すると、待機時の第２のモードでの表示するときの色を指定することができる。
【００１４】
本発明において、前記表示体は、前記第１の表示モードにおいて当該表示体の背面側に配置されたバックライト装置から入射して表面側から出射する光による透過モードでの表示、および前記第２の表示モードにおいて前記表示体の表面側から入射した光を再び表面側に反射して反射モードでの表示を行う半透過反射型の電気光学装置である。このように構成すると、携帯電話機などにおいて稼動時の通常画面をカラー表示するときには、バックライト装置から出射された光で透過モードで表示を行うが、待機時には、バックライト装置を消灯状態にして、表面側から入射した外光を第２の電極によって再び表面側に反射して反射モードで画像を表示できる。従って、待機時における消費電力をバックライト装置での使用電力量分だけさらに低減することができる。
【００１５】
本発明において、半透過反射型の電気光学装置を構成する場合には、前記表示体は、表示光が出射される側に配置された第１の基板と、該第１の基板に対向して前記バックライト装置に対向する第２の基板、前記第１の基板と前記第２の基板との間に保持された電気光学物質とを有し、前記単位画素の各々は、前記第１の基板の側に透明な第１の電極、および出射光に所定の着色を行うカラーフィルタを備えている一方、前記第２の基板の側に前記第１の電極と対向する半透過反射性の第２の電極を備えている構成とすればよい。
【００１６】
本発明に係る電気光学装置は、例えば、携帯電話機、モバイルコンピュータなどの電子機器に搭載される。
【００１７】
【発明の実施の形態】
図面を参照して、本発明をパッシブマトリクス型電気光学装置（カラー表示装置）に適用した例を中心に説明する。
【００１８】
［電気光学装置の構成］
図１および図２はそれぞれ、本発明を適用した電気光学装置の斜視図、および分解斜視図である。図３は、本発明を適用した電気光学装置を図１のＩ−Ｉ′線で切断したときのＩ′側の端部の断面図である。なお、図１、図２などで、電極パターンおよび端子などを模式的に示してあるだけであり、実際の電気光学装置では、より多数の電極パターンや端子が形成されている。
【００１９】
図１および図２において、本形態の電気光学装置１（カラー表示装置）は、携帯電話機などの電子機器に搭載されているパッシブマトリクスタイプの液晶表示装置である。この電気光学装置１に用いたパネル１′（表示体）においては、所定の間隙を介してシール材３０によって貼り合わされた矩形の無アルカリガラス、耐熱ガラス、石英ガラスなどの一対の透明基板１０、２０の間に、シール材３０によって液晶封入領域３５が区画されているとともに、この液晶封入領域３５内に電気光学物質としての液晶３６が封入されている。
【００２０】
ここで、シール材３０は、基板間に液晶３６を注入するための注入口３２として一部が途切れているが、この注入口３２は、基板間に液晶３６を注入した後、塗布、硬化された封止材３１で塞がれている。
【００２１】
ここに示す電気光学装置１は半透過反射型の例であり、第２の透明基板２０の外側表面に偏光板６１が貼られ、第１の透明基板１０の外側表面には偏光板６２が貼られている。また、第２の透明基板２０の外側にはバックライト装置９が配置されている。
【００２２】
第１の透明基板１０には、図３に示すように、第１の電極パターン１５と、第２の透明基板２０の第２の電極パターン２５との交点に相当する単位画素領域に赤（Ｒ）、緑（Ｇ）、青（Ｂ）のカラーフィルタ７Ｒ、７Ｇ、７Ｂが形成され、これらのカラーフィルタ７Ｒ、７Ｇ、７Ｂの表面側に絶縁性の平坦化膜１３、第１の電極パターン１５および配向膜１２がこの順に形成されている。また、各カラーフィルタ７Ｒ、７Ｇ、７Ｂの境界部分には、各カラーフィルタ７Ｒ、７Ｇ、７Ｂの下層側に遮光膜１６が形成されている。これに対して、第２の透明基板２０には、第２の電極パターン２５、オーバーコート膜２３、および配向膜２２がこの順に形成されている。
【００２３】
本形態の電気光学装置１において、第１の電極パターン１０は、ＩＴＯ膜（Ｉｎｄｉｕｍ　Ｔｉｎ　Ｏｘｉｄｅ）に代表される透明導電膜によって形成されている。これに対して、第２の電極パターン１０は、ＩＴＯ膜からなる透明な上層膜２５ａの下に、絶縁膜（図示せず）を介してアルミニウム等の反射性の下層膜２５ｂが薄く形成されている。従って、第１の電極パターン２０は、下層膜２５ｂが薄い金属膜から形成されているので、反射性および透過性を備えており、本形態の電気光学装置１は、半透過反射型の電気光学装置となっている。ここで、第２の電極パターン２５を、透過窓を備えたアルミニウム膜や銀合金などで形成した場合も、半透過反射型の電気光学装置１を構成できる。さらに、偏向板６１に半透過反射板をラミネートすることでも、半透過反射型の電気光学装置１を構成できる。
【００２４】
再び図１および図２において、本形態の電気光学装置１では、外部からの信号入力および基板間の導通のいずれを行うにも、第１の透明基板１０および第２の透明基板２０の同一方向に位置する各基板辺１０１、２０１付近に形成されている端子形成領域１０２、２０２が用いられる。従って、第２の透明基板２０としては、第１の透明基板１０よりも大きな基板が用いられ、第１の透明基板１０と第２の透明基板２０とを貼り合わせたときに第１の透明基板１０の基板辺１０１から第２の透明基板２０が張り出す部分２０５を利用して、フリップチップタイプの駆動用ＩＣ５０がＣＯＦ実装された可撓性基板９０の接続などが行われる。
【００２５】
第１の透明基板１０において、端子形成領域１０２は、第１の透明基板１０の基板辺１０１の中央部分に沿って形成され、この端子形成領域１０２では、基板辺１０１に沿って複数の基板間導通用端子１９が所定の間隔をもって並んでいる。また、第１の透明基板１０では、基板間導通用端子１９から対向する基板辺１０２に向かって複数列の液晶駆動用の第１の電極パターン１５が両側に斜めに延びた後、液晶封入領域３５内で基板辺１０１、１０２に直交する方向に延びている。
【００２６】
第２の透明基板２０において、端子形成領域２０２も基板辺２０１に沿って形成され、端子形成領域２０２には、その中央領域で基板辺２０１に沿って所定の間隔をもって並ぶ複数の外部入力用端子２６、およびこれらの外部入力用端子２６が形成されている領域の両側２箇所で基板辺２０１に沿って所定の間隔をもって並ぶ複数の外部入力用端子２７が形成されている。
【００２７】
ここで、外部入力用端子２６からは、第１の透明基板１０と第２の透明基板２０とを貼り合わせたときに基板間導通用端子１９と重なる複数の基板間導通用端子２９が基板辺２０２に向かって直線的に延びている。
【００２８】
これに対して、外部入力用端子２７からは、第１の透明基板１０と第２の透明基板２０とを貼り合わせたときに第１の電極パターン１５の形成領域の両側に相当する領域を回り込むように複数列の液晶駆動用の第２の電極パターン２５が形成され、これらの第２の電極パターン２５は、液晶封入領域３５内において第１の電極パターン１５と交差するように延びている。
【００２９】
従って、第１の透明基板１０と第２の透明基板２０とをシール材３０を介して貼り合わせる際に、シール材３０にギャップ材および導通材を配合しておくとともに、シール材３０を基板間導通用端子１９、２９が重なる領域にも形成しておくと、導電材は、第１の透明基板１０と第２の透明基板２０との間で押し潰された状態で基板間導通用端子１９、２９を導通させる。
【００３０】
また、第２の透明基板２０の端子形成領域２０２の基板辺２０１側の端部に対して可撓性基板９０を異方性導電材などを用いて実装した後、この可撓性基板９０を介して第２の透明基板２０の外部入力用端子２６、２７に信号入力すると、第２の透明基板２０に形成されている第２の電極パターン２５には外部入力用端子２７を介して走査信号を直接、印加することができる。また、第１の透明基板１０に形成されている第１の電極パターン１５には、外部入力用端子２６、基板間導通用端子２９、導通材および基板間導通用端子１９を介して画像信号を信号入力することができる。
【００３１】
よって、これらの画像信号および走査信号によって、各画素において第１の電極パターン１５と第２の電極パターン２５との間に位置する液晶の配向状態を制御することができるので、所定の画像を表示することができる。
【００３２】
（表示モードの説明）
図４は、本発明を適用した電気光学装置１における画素の配列を模式的に示す説明図である。図５および図６はそれぞれ、図４に示す電気光学装置で第２の表示モードで画像を表示した場合の説明図である。
【００３３】
本形態の電気光学装置１においては、図４に示すように、赤（Ｒ）、緑（Ｇ）、青（Ｂ）に対応する３つの単位画素５Ｒ、５Ｇ、５Ｂによって１つの画素５が形成されている。マトリクス状に並ぶ多数の単位画素５Ｒ、５Ｇ、５Ｂのうち、横方向に並ぶ単位画素５Ｒ、５Ｇ、５Ｂには、駆動用ＩＣ５０（図１を参照）に構成されている走査線駆動回路５１から同一の走査信号が供給されるようになっている。また、縦方向に並ぶ単位画素５Ｒ、５Ｇ、５Ｂには、データ線駆動回路５２から同一の画像信号が供給されるようになっている。
【００３４】
ここで、データ線駆動回路５２は、縦方向に並ぶ単位画素５Ｒ、５Ｇ、５Ｂのうち、赤（Ｒ）の単位画素５Ｒを駆動する第１のデータ線駆動回路５２Ｒ、緑（Ｇ）の単位画素５Ｇを駆動する第２のデータ線駆動回路５２Ｇ、および青（Ｂ）の単位画素５Ｂを駆動する第３のデータ線駆動回路５２Ｂを備えている。
【００３５】
さらに、本形態では、各画素５に含まれる複数の単位画素５Ｒ、５Ｇ、５Ｂの各々を駆動してフルカラー表示を行う第１の表示モード、および画素５に含まれる複数の単位画素５Ｒ、５Ｇ、５Ｂのうち、例えば、緑（Ｇ）の単位画素５Ｇのみを選択的に駆動して簡易表示を行う第２の表示モードのいずれを行うかを切り換える制御回路５３も構成されている。
【００３６】
制御回路５３は、例えば、後述する携帯電話機などにおいて待機状態から稼動状態に移行した際に、第２の表示モードから第１の表示モードに自動的に移行できるように、キー操作あるいは着信があった旨の信号５３１が入力されるようになっている。また、第２の表示モードの際、いずれの単位画素のみを選択的に駆動するかをキー操作で選択、設定するための信号５３２も入力されるようになっている。さらに、第１の表示モードと第２の表示モードの切り換えをキー操作で指示するための信号５３３も入力されている。
【００３７】
このように構成した電気光学装置１を後述する携帯電話機に搭載した場合において、キー操作あるいは着信があった稼動時には、バックライト装置９から出射された光で透過モードで表示を行う。また、キー操作あるいは着信があると制御回路５３に信号５３１が入力される結果、制御回路５３は、第１ないし第３のデータ線駆動回路５２Ｒ、５２Ｇ、５２Ｂを動作させて、各画素５に含まれる各色の単位画素５Ｒ、５Ｇ、５Ｂの全てを駆動してフルカラー表示を行う（第１の表示モード）。
【００３８】
これに対して、キー操作などが終了して所定時間が経過すると待機状態となるが、この場合、バックライト装置９を消灯状態にして、表面側から入射した外光を第２の電極２５によって再び表面側に反射して反射モードで画像を表示する。また、制御回路５３は、図５に示すように、第１ないし第３のデータ線駆動回路５２Ｒ、５２Ｇ、５２Ｂのうち、第２のデータ線駆動回路５２Ｇのみを動作させて、画素５に含まれる各色の単位画素５Ｒ、５Ｇ、５Ｂのうち、緑（Ｇ）の単位画素５Ｇのみを選択的に駆動して簡易表示を行う。
【００３９】
このように本形態の電気光学装置１では、待機時には、バックライト装置９を消灯状態にして反射モードで画像を表示するため、待機時における消費電力をバックライト装置９での使用電力量分だけさらに低減することができる。
【００４０】
また、本形態の電気光学装置１では、待機時には、図５に示すように、第１ないし第３のデータ線駆動回路５２Ｒ、５２Ｇ、５２Ｂのうち、第２のデータ線駆動回路５２Ｇのみを動作させる一方、第１および第３のデータ線駆動回路５２Ｒ、５２Ｂについては動作を停止させて、単位画素５Ｇのみを選択的に駆動する。このため、本形態によれば、待機時でも第１ないし第３のデータ線駆動回路５２Ｒ、５２Ｇ、５２Ｂの全ての駆動回路を動作させる従来方式と比較して、駆動回路で使用される電力を略１／３のレベルにまで低減できる。
【００４１】
なお、上記形態では、待機時には、単位画素５Ｇのみを選択的に駆動する構成であったが、第２の表示モードで選択的に駆動する単位画素５Ｒ、５Ｇ、５Ｂを切り換えるためのキー操作を行えば、その旨の信号５３２が制御回路５３に入力される。従って、例えば、図６に示すように、単位画素５Ｒ、５Ｇ、５Ｂのうち、単位画素５Ｂのみを選択的に駆動して青色画面で簡易表示を行うことができる。
【００４２】
さらに、第１の表示モードと第２の表示モードの切り換えをキー操作で指示すれば制御回路５３に信号５３３が入力されるので、待機画面を第１の表示モードで表示することができる。また、稼動時の通常画面を第２の表示モードで表示することもできる。
【００４３】
［本発明を適用可能な電気光学装置の構成］
上記形態はいずれも、パッシブマトリクス型の液晶装置からなる電気光学装置に本発明を適用したが、図７ないし図９を参照して以下に説明するいずれの電気光学装置においても、カラー表示が可能であるため、本発明を適用することができる。
【００４４】
図７は、画素スイッチング素子として非線形素子を用いたアクティブマトリクス型液晶装置からなる電気光学装置の構成を模式的に示すブロック図である。図８は、画素スイッチング素子として薄膜トランジスタ（ＴＦＴ）を用いたアクティブマトリクス型液晶装置からなる電気光学装置の構成を模式的に示すブロック図である。図９は、電気光学物質として電荷注入型の有機薄膜を用いたエレクトロルミネセンス素子を備えたアクティブマトリクス型電気光学装置のブロック図である。
【００４５】
図７に示すように、画素スイッチング素子として非線形素子を用いたアクティブマトリクス型液晶装置からなる電気光学装置１ａでは、複数の配線としての走査線５１ａが行方向に形成され、複数のデータ線５２ａが列方向に形成されている。走査線５１ａとデータ線５２ａとの各交差点に対応する位置には画素５３ａが形成され、この画素５３ａでは、液晶層５４ａと、画素スイッチング用のＴＦＤ素子５６ａ（非線形素子）とが直列に接続されている。各走査線５１ａは走査線駆動回路５７ａによって駆動され、各データ線５２ａはデータ線駆動回路５８ａによって駆動される。
【００４６】
図８に示すように、画素スイッチング素子としてＴＦＴを用いたアクティブマトリクス型液晶装置からなる電気光学装置１ｂでは、マトリクス状に形成された複数の画素の各々に、画素端子９ｂ、および画素端子９ｂを制御するための画素スイッチング用のＴＦＴ３０ｂが形成されており、画素信号を供給するデータ線６ｂが当該ＴＦＴ３０ｂのソースに電気的に接続されている。データ線６ｂに書き込む画素信号は、データ線駆動回路２ｂから供給される。また、ＴＦＴ３０ｂのゲートには走査線３１ｂが電気的に接続されており、所定のタイミングで、走査線３１ｂにパルス的に走査信号が走査線駆動回路３ｂから供給される。画素端子９ｂは、ＴＦＴ３０ｂのドレインに電気的に接続されており、スイッチング素子であるＴＦＴ３０ｂを一定期間だけそのオン状態とすることにより、データ線６ｂから供給される画素信号を各画素に所定のタイミングで書き込む。このようにして画素端子９ｂを介して液晶に書き込まれた所定レベルの画素信号は、対向基板に形成された対向電極との間で一定期間保持される。
【００４７】
ここで、保持された画素信号がリークするのを防ぐことを目的に、画素端子９ｂと対向電極との間に形成される液晶容量と並列に蓄積容量７０ｂ（キャパシタ）を付加することがある。この蓄積容量７０ｂによって、画素端子９ｂの電圧は、例えば、ソース電圧が印加された時間よりも３桁も長い時間だけ保持される。これにより、電荷の保持特性は改善され、コントラスト比の高い表示を行うことのできる電気光学装置が実現できる。なお、蓄積容量７０ｂを形成する方法としては、容量を形成するための配線である容量線３２ｂとの間に形成する場合、あるいは前段の走査線３１ｂとの間に形成する場合のいずれであってもよい。
【００４８】
図９に示すように、電荷注入型有機薄膜を用いたエレクトロルミネセンス素子を備えたアクティブマトリクス型電気光学装置は、有機半導体膜に駆動電流が流れることによって発光するＥＬ（エレクトロルミネッセンス）素子、またはＬＥＤ（発光ダイオード）素子などの発光素子をＴＦＴで駆動制御するアクティブマトリクス型の表示装置であり、このタイプの表示装置に用いられる発光素子はいずれも自己発光するため、バックライトを必要とせず、また、視野角依存性が少ないなどの利点がある。
【００４９】
ここに示す電気光学装置１ｐでは、複数の走査線３ｐと、この走査線３ｐの延設方向に対して交差する方向に延設された複数のデータ線６ｐと、これらのデータ線６ｐに並列する複数の共通給電線２３ｐと、データ線６ｐと走査線３ｐとの交差点に対応する画素１５ｐとが構成されている。データ線６ｐに対しては、シフトレジスタ、レベルシフタ、ビデオライン、アナログスイッチを備えるデータ線駆動回路１０１ｐが構成されている。走査線３ｐに対しては、シフトレジスタおよびレベルシフタを備える走査線駆動回路１０４ｐが構成されている。
【００５０】
また、画素１５ｐの各々には、走査線３ｐを介して走査信号がゲート電極に供給される第１のＴＦＴ３１ｐと、この第１のＴＦＴ３１ｐを介してデータ線６ｐから供給される画像信号を保持する保持容量３３ｐと、この保持容量３３ｐによって保持された画像信号がゲート電極に供給される第２のＴＦＴ３２ｐと、第２のＴＦＴ３２ｐを介して共通給電線２３ｐに電気的に接続したときに共通給電線２３ｐから駆動電流が流れ込む発光素子４０ｐとが構成されている。
【００５１】
ここで、発光素子４０ｐは、画素電極の上層側には、正孔注入層、有機エレクトロルミネッセンス材料層としての有機半導体膜、リチウム含有アルミニウム、カルシウムなどの金属膜からなる対向電極が積層された構成になっており、対向電極２０ｐは、データ線６ｐなどを跨いで複数の画素１５ｐにわたって形成されている。
【００５２】
［電子機器への適用］
次に、本発明を適用した電気光学装置を備えた電子機器の一例を、図１０、図１１（Ａ）、（Ｂ）を参照して説明する。
【００５３】
図１０は、上記の電気光学装置と同様に構成された電気光学装置１を備えた電子機器の構成をブロック図である。図１１（Ａ）、（Ｂ）はそれぞれ、本発明に係る電気光学装置を用いた電子機器の一例としてのモバイル型のパーソナルコンピュータの説明図、および携帯電話機の説明図である。
【００５４】
図１０において、電子機器は、表示情報出力源１０００、表示情報処理回路１００２、表示モードを切り換えるための制御回路を備えた駆動回路１００４、電気光学装置１、クロック発生回路１００８、および電源回路１０１０を含んで構成される。表示情報出力源１０００は、ＲＯＭ（Ｒｅａｄ　Ｏｎｌｙ　Ｍｅｍｏｒｙ）、ＲＡＭ（Ｒａｎｄａｍ　Ａｃｃｅｓｓ　Ｍｅｍｏｒｙ）、光ディスクなどのメモリ、テレビ信号の画像信号を同調して出力する同調回路などを含んで構成され、クロック発生回路１００８からのクロックに基づいて、所定フォーマットの画像信号を処理して表示情報処理回路１００２に出力する。この表示情報出力回路１００２は、たとえば増幅・極性反転回路、相展開回路、ローテーション回路、ガンマ補正回路、あるいはクランプ回路等の周知の各種処理回路を含んで構成され、クロック信号に基づいて入力された表示情報からデジタル信号を順次生成し、クロック信号ＣＬＫとともに駆動回路１００４に出力する。駆動回路１００４は、電気光学装置１を駆動する。電源回路１０１０は、上述の各回路に所定の電源を供給する。
【００５５】
このような構成の電子機器としては、マルチメディア対応のパーソナルコンピュータ（ＰＣ）、およびエンジニアリング・ワークステーション（ＥＷＳ）、ページャ、携帯電話、ワードプロセッサ、テレビ、ビューファインダ型またはモニタ直視型のビデオテープレコーダ、電子手帳、電子卓上計算機、カーナビゲーション装置、ＰＯＳ端末、タッチパネルなどを挙げることができる。
【００５６】
例えば、図１１（Ａ）に示すように、パーソナルコンピュータ１８０は、キーボード１８１を備えた本体部１８２と、液晶表示ユニット１８３とを有する。液晶表示ユニット１８３は、前述した電気光学装置を含んで構成される。
【００５７】
また、図１１（Ｂ）に示すように、携帯電話機１９０は、複数の操作ボタン１９１と、前述した電気光学装置からなる表示部とを有している。
【００５８】
【発明の効果】
以上説明したように、本発明では、携帯電話機などの電子機器において稼動時の通常画面をカラー表示するときには、画素に含まれる複数の単位画素の各々を駆動して表示を行う第１の表示モードとなるが、待機時には、所定の単位画素のみを選択的に駆動して表示を行う第２の表示モードとなる。従って、待機時に駆動回路の負荷が軽減するので、低消費電力化を図ることができる。
【図面の簡単な説明】
【図１】本発明を適用した電気光学装置の斜視図である。
【図２】本発明を適用した電気光学装置の分解斜視図である。
【図３】本発明を適用した電気光学装置を図１のＩ−Ｉ′線で切断したときのＩ′側の端部の断面図である。
【図４】本発明を適用した電気光学装置における画素の配列を模式的に示す説明図である。。
【図５】図４に示す電気光学装置で第２の表示モードで画像を表示した場合の説明図である。
【図６】図４に示す電気光学装置で第２の表示モードで画像を別の条件で表示した場合の説明図である。
【図７】画素スイッチング素子として非線形素子を用いたアクティブマトリクス型液晶装置からなる電気光学装置の構成を模式的に示すブロック図である。
【図８】画素スイッチング素子として薄膜トランジスタ（ＴＦＴ）を用いたアクティブマトリクス型液晶装置からなる電気光学装置の構成を模式的に示すブロック図である。
【図９】電気光学物質として電荷注入型の有機薄膜を用いたエレクトロルミネセンス素子を備えたアクティブマトリクス型表示装置のブロック図である。
【図１０】電気光学装置を備えた電子機器の構成をブロック図である。
【図１１】（Ａ）、（Ｂ）はそれぞれ、本発明に係る電気光学装置を用いた電子機器の一例としてのモバイル型のパーソナルコンピュータの説明図、および携帯電話機の説明図である。
【符号の説明】
１　電気光学装置（カラー表示装置）
１′　パネル（表示体）
５　画素
５Ｒ、５Ｇ、５Ｂ　単位画素
１０　第１の透明基板
１５　第１の電極パターン
２０　第２の透明基板
２５　第２の電極パターン
２５Ａ　透明な上層膜
２５Ｂ　反射性の下層膜
５０　駆動用ＩＣ
５１　走査線駆動回路
５２、５２Ｒ、５２Ｇ、５２Ｂ　データ線駆動回路
５３　制御回路
【図１】
2004117575.tif 000003
【図２】
2004117575.tif 000004
【図３】
2004117575.tif 000005
【図４】
2004117575.tif 000006
【図５】
2004117575.tif 000007
【図６】
2004117575.tif 000008
【図７】
2004117575.tif 000009
【図８】
2004117575.tif 000010
【図９】
2004117575.tif 000011
【図１０】
2004117575.tif 000012
【図１１】
2004117575.tif 000013